(57)【要約】  【課題】  ゲルマニウムの持つ医学的効果をより一層発揮させ、また、体を温めて体の重心を正しいバランスで保つための体形補整用ボディスーツを提供すること。  【解決手段】  前身頃部１０と後身頃部１１とからなる体形補整用ボディスーツ９であって、前身頃部１０は、肩部、バスト部、腹部及び股下部からなり、前身頃部１０と後身頃部１１は、可能な限り表地と裏地の２枚重ねとし、バスト、ヒップなどの形を崩す恐れのあるところや、腕や脚の付け根などの屈曲するところは、一重とし、主要な経穴に当接する肩パッド２５、アンダーバスト部裏地２７ｂ、腹部裏地１２ｂ及び背面裏地２０ｂは、ゲルマニウム含有布地からなり、その他の表地と裏地は、遠赤外線セラミック練り込み布地からなるものである。【選択図】  図１
2007119994.tif 000002
【特許請求の範囲】
【請求項１】
前身頃部１０と後身頃部１１とからなる体形補整用ボディスーツ９であって、前記前身頃部１０は、肩部、バスト部、腹部及び股下部からなり、前記後身頃部１１は、肩部、背部、ヒップ部及び股下部からなり、前記肩部は、肩部表地１９ａと肩部裏地１９ｂが２枚重ねて縫製されるとともに、肩パッド２５を有し、前記前身頃部１０のバスト部は、肩部の下方の脇下ネット部１４、アッパーバスト部刺繍地２９、アンダーバスト部２８、アンダーメッシュ部２４で構成され、前記アンダーバスト部２８は、半円球状のアンダーバスト部表地２７ａと柔らかい布地のアンダーバスト部裏地２７ｂとが２枚重ねされ、前記下部のアンダーメッシュ部２４及び前記脇下ネット部１４は、伸縮性のあるネット状の布地からなり、前記前身頃部１０の腹部は、中央の腹部表地１２ａと腹部裏地１２ｂ、前脇腹表地１３ａと前脇腹裏地１３ｂ、下方の股下部表地１７ａと股下部裏地１７ｂがそれぞれ２枚重ねされ、股下部表地１７ａの端部に係止具１８が設けられており、前記後身頃部１１の肩部と背部との間には、前記背面ネット地２２が形成され、前記後身頃部１１の表地は、背部からヒップ部にかけて、背面表地２０ａからなり、股下部には、クロッチメッシュ表地３４ａが用いられ、その端部に係止具１８が設けられ、前記背面表地２０ａのヒップ部には、モールド成型により膨らんだ臀部ネット地２１が形成され、前記後身頃部１１の裏地は、背面裏地２０ｂと後脇腹裏地３０とクロッチメッシュ裏地３４ｂとからなり、前記背面裏地２０ｂは、後脇腹裏地３０から腰部裏地３１にかけて中央まで伸び、この腰部裏地３１と背面裏地２０ｂとの間には背部切り欠き部３５が形成された一重部３７となっており、前記腰部裏地３１の下方には、前記臀部ネット地２１の部分に相当する位置に臀部切り欠き部３２を形成し、主要な経穴に当接する前記肩パッド２５、アンダーバスト部裏地２７ｂ、腹部裏地１２ｂ及び背面裏地２０ｂは、ゲルマニウム含有布地からなり、その他の表地と裏地は、遠赤外線セラミック練り込み布地からなることを特徴とする体形補整用ボディスーツ。
【請求項２】
ゲルマニウム含有布地からなる肩パッド２５、アンダーバスト部裏地２７ｂ、腹部裏地１２ｂ及び背面裏地２０ｂのうち、肩パッド２５が肩井４１の経穴に当接し、腹部裏地１２ｂがだん中、中かん、水分、気海の各経穴に当接し、背面裏地２０ｂが風門、肺兪、心兪、膈兪、肝兪、脾兪、胃兪、腎兪の各経穴に当接することを特徴とする請求項１記載の体形補整用ボディスーツ。
【請求項３】
ショーツ、ストッキング、ガードル、ブラジャーを着用し、その上に着用するようにしたことを特徴とする請求項１又は２記載の体形補整用ボディスーツ。
【発明の詳細な説明】
【技術分野】
【０００１】
本発明は、ゲルマニウムの持つ医学的効果をより一層発揮させ、かつ、身体を正しい体形に補整して、健康と美を保つための特に女性用の体形補整用ボディスーツに関するものである。
【背景技術】
【０００２】
人間の健康を考えるとき、姿勢の善し悪しによって内臓の働きが違ってくる。姿勢がよいということは、先ず第一に、背筋がまっすぐで、骨盤が正しい位置にあり、左右対称形であることである。
女性の場合、バストとヒップの位置がホルモンのバランスのために極めて大切である。
食事、運動、睡眠だけに気をつけても、姿勢を正しく整えなければ、内臓の働きがよくならない。また、現代人は、エネルギー不足で体が冷え、有害な電磁波の影響で自律神経を病んでいる。
この冷えの改善と電磁波を軽減する環境を作ってそれを継続することが重要である。
【０００３】
従来から知られている体型補整用の下着類を用いれば、背筋や背骨をある程度矯正することができるが、脊髄を温めて体のバランスを保つためには、不十分であった。
バスト、ヒップ、腹部、脚部などの体の各部においては、例えば、ブラジャー、ショーツ、ガードル、ストッキングを着用することによってそれぞれ対応する個所の補整をすることができるが、従来のこれらの下着にも種々の問題点があるだけでなく、問題点を解決した下着を着用した上で、さらにその上に体形補整用ボディスーツを着用して全体として補整することで、脊髄と骨盤の正しい位置と背筋を矯正して、体重を正しく支えることができるものである。
【０００４】
ちなみに、女性の理想的なプロポーションは、図５に示すように、バストポイントが、頭の長さＢの２個分、ウエストポイントは、ちょうど肘の部分、ヒップポイントは、身長Ａの２分の１の高さといわれている。また、重心線に対してバストポイントの前の３角とヒップポイントの後ろの３角のバランスが取れていれば、やせた人も太った人も正しいバランスといわれている。
【０００５】
また、健康増進や治療効果を持たせるために、遠赤外線やマイナスイオンを発生する物体を繊維や布地に含有させたものが知られている。
例えば、ゲルマニウムを衣類に包含させたもの（特許文献１）、セラミックを繊維に包含させたもの（特許文献２）、トルマリンを繊維に塗布させたもの（特許文献３）、ゲルマニウムとセラミックの両方を繊維に包含させたもの（特許文献４）などである。
【特許文献１】特許第３４４９９９９号公報
【特許文献２】特開平１１―２１７７０２号公報
【特許文献３】実用新案登録第３０７９２７６号公報
【特許文献４】特開平５―３０９１３８号公報
【発明の開示】
【発明が解決しようとする課題】
【０００６】
体の各部に着用する下着である従来のブラジャー、ショーツ、ガードル、ストッキングには、以下のような問題があった。
従来のブラジャーは、カップを保持するための背面帯部が水平となるようないわゆる平面裁断となっていて、真横にブラジャーを締め付けることとなっていた。
そのため、胃を締め付けることになって苦痛を与えたり、脇の下を締め付けることとなってリンパの流れを妨げたりし、また、バストを肩紐だけで支えるために肩こりの原因になっていた。さらに、バストを正しく包み込めないため、バストと脇の下との間に副乳という脂肪の塊ができたり、バストの形を崩したりする原因になっていた。
【０００７】
従来のショーツは、臍より下で穿くものが多かった。臍を包むものでもゴム紐の部分が細く食い込み易く、そけいリンパを圧迫するものがほとんどである。そのために体の血流を妨げてしまい、体を冷やす原因になっている。また、ヒップを包みきれないような小さなショーツでは、垂れヒップなどヒップの形を崩し、また、ゴム紐で腹に食い込むと、上や下に脂肪を逃がし、３段腹、寸胴、ピーマン形等、体のラインを崩してしまうことになる。
【０００８】
現代人は、エネルギー不足で体が冷え、有害な電磁波の影響で自律神経を病んでいる。この冷えの改善と電磁波を軽減する環境を作ってそれを継続することが重要である。
しかるに、従来のショートガードルでは、ヒップからウエストの周りを強く締め付けるものが多く、また、ハイウエストのものでも、ウエスト部分のきついものがほとんどであった。そのため、そけいリンパを圧迫し、かつ、ヒップの形を崩し、太ももに脂肪を逃がし、太ももを太くする。そけいリンパを圧迫すると、脚のリンパの流れや血流も悪くなり、体を冷やす原因になっている。
【０００９】
また、上述の特許文献によれば、遠赤外線やマイナスイオンを放射するゲルマニウム、セラミック、トルマリン等を繊維や布地に含有させ、下着、ソックスなどに使用するという一般的な利用方法についての記載はあるが、経穴との関連性、ゲルマニウム布地とセラミック布地の関連性など、具体的な使用方法については触れられていなかった。すなわち、ゲルマニウムは、患部に貼ったり、ゲルマニウムを包含する布地を皮膚に接触させたりしたとしても、その接触面の温度が３２℃以上にならないと、医学的効果があまり現れない。なぜなら、ゲルマニウムは、接触面の温度が３２℃以上にならないと、外側の軌道を回る４個のマイナス電子が外へ飛び出さないからである。
【００１０】
本発明の目的は、ゲルマニウムの持つ医学的効果をより一層発揮させ、また、正しい姿勢を維持し、かつ、体を温めて体の重心を正しいバランスで保つための体形補整用ボディスーツを提供することである。
【課題を解決するための手段】
【００１１】
本発明は、前身頃部１０と後身頃部１１とからなる体形補整用ボディスーツ９であって、前記前身頃部１０は、肩部、バスト部、腹部及び股下部からなり、前記後身頃部１１は、肩部、背部、ヒップ部及び股下部からなり、前記肩部は、肩部表地１９ａと肩部裏地１９ｂが２枚重ねて縫製されるとともに、肩パッド２５を有し、前記前身頃部１０のバスト部は、肩部の下方の脇下ネット部１４、アッパーバスト部刺繍地２９、アンダーバスト部２８、アンダーメッシュ部２４で構成され、前記アンダーバスト部２８は、半円球状のアンダーバスト部表地２７ａと柔らかい布地のアンダーバスト部裏地２７ｂとが２枚重ねされ、前記下部のアンダーメッシュ部２４及び前記脇下ネット部１４は、伸縮性のあるネット状の布地からなり、前記前身頃部１０の腹部は、中央の腹部表地１２ａと腹部裏地１２ｂ、前脇腹表地１３ａと前脇腹裏地１３ｂ、下方の股下部表地１７ａと股下部裏地１７ｂがそれぞれ２枚重ねされ、股下部表地１７ａの端部に係止具１８が設けられており、前記後身頃部１１の肩部と背部との間には、前記背面ネット地２２が形成され、前記後身頃部１１の表地は、背部からヒップ部にかけて、背面表地２０ａからなり、股下部には、クロッチメッシュ表地３４ａが用いられ、その端部に係止具１８が設けられ、前記背面表地２０ａのヒップ部には、モールド成型により膨らんだ臀部ネット地２１が形成され、前記後身頃部１１の裏地は、背面裏地２０ｂと後脇腹裏地３０とクロッチメッシュ裏地３４ｂとからなり、前記背面裏地２０ｂは、後脇腹裏地３０から腰部裏地３１にかけて中央まで伸び、この腰部裏地３１と背面裏地２０ｂとの間には背部切り欠き部３５が形成された一重部３７となっており、前記腰部裏地３１の下方には、前記臀部ネット地２１の部分に相当する位置に臀部切り欠き部３２を形成し、主要な経穴に当接する前記肩パッド２５、アンダーバスト部裏地２７ｂ、腹部裏地１２ｂ及び背面裏地２０ｂは、ゲルマニウム含有布地からなり、その他の表地と裏地は、遠赤外線セラミック練り込み布地からなることを特徴とする体形補整用ボディスーツである。
【発明の効果】
【００１２】
請求項１記載の発明によれば、主要な経穴に当接する肩パッド２５、アンダーバスト部裏地２７ｂ、腹部裏地１２ｂ及び背面裏地２０ｂは、ゲルマニウム含有布地からなり、その他の表地と裏地は、遠赤外線セラミック練り込み布地からなるので、遠赤外線セラミック練り込み布地の作用により、体温に近い温度かそれ以上の温度まで皮下深層の温度が上昇し、微細血管の拡張、血液循環、新陳代謝の促進等が行なわれる。それに相乗して、ゲルマニウムのマイナスイオンが吸着されて酸性状態の血液であれば、そのｐＨを中性にし、逆にアルカリ状態であれば、電子反転作用でプラスイオンとなり、血液中のｐＨを正常に保つ働きをする。イオン化したゲルマニウム電子は、皮膚組織の下に浸透し、その電子特性により接触面の血行を促進し、細胞を活性化させ細胞内の電流バランスを整える。身体の生体電流を活性化させ、血行をよくすることで、筋肉の凝り、痛み、疲労を緩和させる。
このように遠赤外線セラミック練り込み布地の作用と相乗して、ゲルマニウムは、接触面の温度が３２℃以上になると十分に医学的効果が現われる。
【００１３】
ちなみに、不眠症、肩こりに悩む人に本発明製品を着用させ、使用前と使用後の血液を採取して顕微鏡映像で赤血球を比較した。使用前は、赤血球がどろどろに重なり合い、身体全体に酸素や栄養供給が不足になり、肩凝り、腰痛、神経痛が起こりやすい状態であった。本発明製品を着用してから３０分後に再度血液を採取したところ、血液がさらさらな正常状態に戻ったことが認められた。
【００１４】
また、前身頃部１０と後身頃部１１は、可能な限り表地と裏地の２枚重ねとし、バスト、ヒップなどの形を崩す恐れのあるところや、腕や脚の付け根などの屈曲するところは、一重とした体形補整用ボディスーツ９からなるので、正しい姿勢を維持しつつ、かつ、体を温めて体の重心を正しいバランスで保つことができる。
【００１５】
請求項２記載の発明によれば、ゲルマニウム含有布地からなる肩パッド２５、アンダーバスト部裏地２７ｂ、腹部裏地１２ｂ及び背面裏地２０ｂのうち、肩パッド２５が肩井４１の経穴に当接し、腹部裏地１２ｂがだん中、中かん、水分、気海の各経穴に当接し、背面裏地２０ｂが風門、肺兪、心兪、膈兪、肝兪、脾兪、胃兪、腎兪の各経穴に当接するようにしたので、遠赤外線セラミック練り込み布地の作用により皮膚温度が十分上昇した状態になると、ゲルマニウム含有の布地の腹部裏地１２ｂと股下部裏地１７ｂによって、だん中、中かん、水分、気海の各経穴に当接して刺激し、肩パッド２５によって肩井４１の経穴に当接して刺激し、背面裏地２０ｂによって、風門４０、肺兪４２、心兪４３、膈兪、肝兪、脾兪４４、胃兪、腎兪４５等の各経穴に当接して刺激し、アンダーバスト裏地２７ｂによってアンダーバストを刺激して、血液が酸性状態であれば、ゲルマニウムのマイナスイオンが吸着されて血液ｐＨを中性にし、逆にアルカリ状態であれば、電子反転作用でプラスイオンとなり、血液中のｐＨを正常に保つ働きをより一層活性化する。イオン化したゲルマニウム電子は、皮膚組織の下に浸透し、その電子特性により接触面の血行を促進し、細胞を活性化させ細胞内の電流バランスを整える。身体の生体電流を活性化させ、血行をよくすることで、筋肉の凝り、痛み、疲労を緩和させることができる。
【００１６】
請求項３記載の発明によれば、本発明の体形補整用ボディスーツをショーツ、ストッキング、ガードル、ブラジャーを着用し、その上に着用するようにしたので、正しい姿勢を維持し、かつ、体を温めて体の重心を正しいバランスで保つことができる。
【発明を実施するための最良の形態】
【００１７】
本発明の体形補整用ボディスーツは、前身頃部１０と後身頃部１１とからなる体形補整用ボディスーツ９であって、前記前身頃部１０は、肩部、バスト部、腹部及び股下部からなり、前記後身頃部１１は、肩部、背部、ヒップ部及び股下部からなり、前記肩部は、肩部表地１９ａと肩部裏地１９ｂが２枚重ねて縫製されるとともに、肩パッド２５を有し、前記前身頃部１０のバスト部は、肩部の下方の脇下ネット部１４、アッパーバスト部刺繍地２９、アンダーバスト部２８、アンダーメッシュ部２４で構成され、前記アンダーバスト部２８は、半円球状のアンダーバスト部表地２７ａと柔らかい布地のアンダーバスト部裏地２７ｂとが２枚重ねされ、前記下部のアンダーメッシュ部２４及び前記脇下ネット部１４は、伸縮性のあるネット状の布地からなり、前記前身頃部１０の腹部は、中央の腹部表地１２ａと腹部裏地１２ｂ、前脇腹表地１３ａと前脇腹裏地１３ｂ、下方の股下部表地１７ａと股下部裏地１７ｂがそれぞれ２枚重ねされ、股下部表地１７ａの端部に係止具１８が設けられており、前記後身頃部１１の肩部と背部との間には、前記背面ネット地２２が形成され、前記後身頃部１１の表地は、背部からヒップ部にかけて、背面表地２０ａからなり、股下部には、クロッチメッシュ表地３４ａが用いられ、その端部に係止具１８が設けられ、前記背面表地２０ａのヒップ部には、モールド成型により膨らんだ臀部ネット地２１が形成され、前記後身頃部１１の裏地は、背面裏地２０ｂと後脇腹裏地３０とクロッチメッシュ裏地３４ｂとからなり、前記背面裏地２０ｂは、後脇腹裏地３０から腰部裏地３１にかけて中央まで伸び、この腰部裏地３１と背面裏地２０ｂとの間には背部切り欠き部３５が形成された一重部３７となっており、前記腰部裏地３１の下方には、前記臀部ネット地２１の部分に相当する位置に臀部切り欠き部３２を形成し、主要な経穴に当接する前記肩パッド２５、アンダーバスト部裏地２７ｂ、腹部裏地１２ｂ及び背面裏地２０ｂは、ゲルマニウム含有布地からなり、その他の表地と裏地は、遠赤外線セラミック練り込み布地からなる。
【００１８】
肩パッド２５、アンダーバスト部裏地２７ｂ、腹部裏地１２ｂ及び背面裏地２０ｂは、ゲルマニウム含有布地からなり、これらのうち、肩パッド２５が肩井４１の経穴に当接し、腹部裏地１２ｂがだん中、中かん、水分、気海の各経穴に当接し、背面裏地２０ｂが風門、肺兪、心兪、膈兪、肝兪、脾兪、胃兪、腎兪の各経穴に当接せしめる。
【００１９】
本発明の体形補整用ボディスーツは、ショーツ、ストッキング、ガードル、ブラジャーを着用し、その上に着用するようにしてもよいし、ショーツ、ストッキング、ガードル、ブラジャーを着用せずに地肌に直接着用してもよい。
【実施例１】
【００２０】
本発明による体形補整用ボディスーツ９の一実施例の説明に先立ち、体形補整用ボディスーツ９によって医学的効果を生じる経穴について、図６に基づき説明する。
身体における上半身の前面には、腹部の中央線に沿って重要な多数の経穴が存在する。代表的なものとして、例えば、以下のようなものがある。
だん中（だんちゅう）：胸部の中央で、左右の乳頭の中間にあり、心臓・呼吸器・肋間神経、乳腺の痛み、食道けいれん等の治療に効果を発揮する。
中かん（ちゅうかん）：上腹部の中央で、へそとみぞおちの中間にあり、腹部の内臓・消化器全般の病気、食欲不振、ノイローゼ、不眠症等の治療に効果を発揮する。
水分（すいぶん）：へその上３〜４ｃｍのところにあり、大腸の水分バランスを整える働きを有し、下痢等の治療に効果を発揮する。
気海（きかい）：へそ下４〜５ｃｍのところにあり、精神症時の呼吸促迫、婦人病・泌尿器・消化器の急性の痛みの治療に効果を発揮する。
【００２１】
また、身体における上半身の背面には、背骨の両側に沿って重要な多数の経穴が存在する。代表的なものとして、例えば、以下のようなものがある。
風門（ふうもん）４０：第２胸椎の棘突起の直下から、左右に約３〜４ｃｍのところ（左右１箇所ずつ）にあり、鼻・のど・気管支・肺などの発熱性又は寒性疾患等の治療に効果を発揮する。
肩井（けんせい）４１：肩の上縁で、乳頭を通る垂直延長線と交わるところ（左右１箇所ずつ）にあり、肩こり、めまい、寝違い、呼吸器の病気等の治療に効果を発揮する。
肺兪（はいゆ）４２：第３・第４胸椎棘突起の真下から左右にそれぞれ約３〜４ｃｍのところにあり、肺に関する一切の疾患（肺・鼻・喉・気管・皮膚）の治療に効果を発揮する。
心兪（しんゆ）４３：第５・第６胸椎棘突起の直下から、左右に約３〜４ｃｍのところ（左右１箇所ずつ）にあり、精神症、高血圧等の治療に効果を発揮する。
膈兪（かくゆ）：第７・第８胸椎棘突起の直下から、左右に約３〜４ｃｍのところ（左右１箇所ずつ）にあり、気管支炎、ぜんそく、食欲不振、嚥下困難、ノイローゼ、ヒステリー、胃炎、神経性嘔吐等の治療に効果を発揮する。
肝兪（かんゆ）：第９・第１０胸椎棘突起の直下から、左右に約３〜４ｃｍ外方で、背中を走る太い筋肉の上（左右１箇所ずつ）にあり、肝臓・消化器・筋肉・目の病気、寒気、ふるえ、イライラ、ノイローゼ、不眠症、解毒等の治療に効果を発揮する。
脾兪（ひゆ）４４：第１１胸椎棘突起の直下から、左右に約３〜４ｃｍ外方で、背中を走る太い筋肉の上（左右１箇所ずつ）にあり、消化器全般、糖尿病、黄疸、健忘症、嗜眠、ノイローゼ等の治療に効果を発揮する。
胃兪（いゆ）：第１２胸椎棘突起の直下から、左右に約３〜４ｃｍ外方（左右１箇所ずつ）にあり、急性の胃の痛み、消化器一般に関する病気の治療に効果を発揮する。
腎兪（じんゆ）４５：第２腰椎棘突起の真下から３〜４ｃｍ外方（左右１箇所ずつ）にあり、生殖器・泌尿器・消化器・神経系の病気で生命力の衰えからくるものの治療に効果を発揮する。
【００２２】
これらの経穴に有効な本発明による体形補整用ボディスーツ９の一実施例を図１乃至図４に基づき説明する。
本発明による体形補整用ボディスーツ９は、表地と裏地で構成されているが、表地全部と、裏地のうちの後述するゲルマニウム布地使用個所以外の残りの裏地とに、遠赤外線セラミック練り込み糸からなる布地が使用されている。前記ゲルマニウム布地に含有されるゲルマニウムは、無機ゲルマニウム、有機ゲルマニウムの何れであってもよい。
なお、図示の例では、袖なしタイプを説明するが、半袖、長袖のタイプであってもよい。
【００２３】
前記体形補整用ボディスーツ９は、大きく分けて、図１に示す前側から見た前身頃部１０と、図２に示す後側から見た後身頃部１１とからなる。
前記前身頃部１０は、上方から順に、肩部、バスト部、腹部及び股下部からなり、図３（ａ）に示す表地と、図３（ｂ）に示す裏地とで構成されている。また、前記後身頃部１１は、上方から順に、肩部、背部、ヒップ部及び股下部からなり、図４（ａ）に示す表地と、図４（ｂ）に示す裏地とで構成されている。
【００２４】
前記肩部は、前身頃部１０と後身頃部１１における両側の肩部表地１９ａと肩部裏地１９ｂと肩パッド２５とからなる。なお、肩部表地１９ａは、前身頃部１０と後身頃部１１が別々に裁断されているが、肩部裏地１９ｂは、前身頃部１０と後身頃部１１が連続した１枚の布地である。これら前身頃部１０と後身頃部１１の肩部表地１９ａと肩部裏地１９ｂは、襟開き部１５、背開き部１６、袖口部とに装飾レース３８を配置して２枚重ねて縫製されるが、このとき、肩の上に当たる部分を縫製しないで肩パッド用ポケット２６とし、前記肩パッド２５が装着される。この肩パッド２５は、図１（ｂ）に示すようなゲルマニウム含有布地を使用して構成され、図６に示す肩井４１に当接する。
【００２５】
図１及び図３において、前記前身頃部１０のバスト部は、立体裁断とし、肩部の下方の脇下ネット部１４、アッパーバスト部刺繍地２９、アンダーバスト部２８、アンダーメッシュ部２４で構成されている。
さらに詳しくは、前記アンダーバスト部２８は、半円球状に装飾編みのアンダーバスト部表地２７ａと柔らかい布地のアンダーバスト部裏地２７ｂとが２枚重ねされて構成されている。前記アンダーバスト部裏地２７ｂは、ゲルマニウム含有布地からなり、バスト部分の血流を助長する。前記アンダーバスト部表地２７ａの上部には、略３角形の装飾編みのアッパーバスト部刺繍地２９が形成されて、ブラジャー５０をつけたときバスト全体を正しく包み込むようになっている。
前記両アンダーバスト部表地２７ａの下部のアンダーメッシュ部２４は、伸縮性のあるネット状の布地からなり、腹部側から下方へ引っ張ったときバストをつぶさないようになっている。前記脇下ネット部１４は、伸縮性のあるネット状の布地からなり、後述の背面ネット地２２と共に、腕の動きに支障のないように構成されている。
【００２６】
前記前身頃部１０の腹部は、中央の腹部表地１２ａと腹部裏地１２ｂ、両側の前脇腹表地１３ａと前脇腹裏地１３ｂ、下方の股下部表地１７ａと股下部裏地１７ｂがそれぞれ２枚重ねされ、股下部表地１７ａの端部に係止具１８が設けられている。前記腹部表地１２ａと股下部表地１７ａは、上下で２分割されているが、腹部裏地１２ｂと股下部裏地１７ｂは、ゲルマニウム含有の連続した布地からなり、前述のだん中、中かん、水分、気海の各経穴に当接する。腹部裏地１２ｂと股下部裏地１７ｂが連続した布地からなるのは、腹部表地１２ａが飾りを兼ねた布地であって、かつ、伸びの少ない布地からなり、その他の股下部表地１７ａ、腹部裏地１２ｂ、股下部裏地１７ｂ、前脇腹表地１３ａ、前脇腹裏地１３ｂが伸びのある布地から構成されていることによる。
これらの前身頃部１０の腹部における中央の腹部表地１２ａと腹部裏地１２ｂ、両側の前脇腹表地１３ａと前脇腹裏地１３ｂ、下方の股下部表地１７ａと股下部裏地１７ｂがそれぞれ２枚重ねされたとき、図３（ａ）おいて点線で示した脚の付け根部分より下側が一重部分となっていて、脚が円滑に動くようになっている。
【００２７】
図２及び図４において、前記後身頃部１１の肩部と背部との間には、前記背面ネット地２２が形成されている。
前記後身頃部１１の表地は、背部からヒップ部にかけて、左右２枚の背面表地２０ａからなり、股下部には、クロッチメッシュ表地３４ａが用いられ、その端部に係止具１８が設けられる。前記背面表地２０ａのヒップ部には、モールド成型により予めヒップを包み込むような逆ハート形に膨らんだ臀部ネット地２１が形成されている。
前記後身頃部１１の裏地は、背面裏地２０ｂと後脇腹裏地３０とクロッチメッシュ裏地３４ｂとからなる。このうち、背面裏地２０ｂは、ゲルマニウム含有の布地からなり、風門４０、肺兪４２、心兪４３、膈兪、肝兪、脾兪４４、胃兪、腎兪４５等に当接して、血流を助長するとともに、背部の僧帽筋を温める。また、後脇腹裏地３０から腰部裏地３１にかけての部分は、中央まで伸びているが、この腰部裏地３１と背面裏地２０ｂとの間には背部切り欠き部３５が形成されて一重部３７となっており、屈伸時により伸縮し易い個所となっている。さらに、前記腰部裏地３１の下方には、前記臀部ネット地２１の部分が１重となることでより伸縮し易いように臀部切り欠き部３２が形成されている。
これら左右の背面表地２０ａ、背面裏地２０ｂ、後脇腹裏地３０は、背骨の位置にゴム紐部３３が配置されて縫製される。このため、前記一重部３７と臀部ネット地２１がこのゴム紐部３３によりやや縮められた状態となる。
【００２８】
このように構成された体形補整用ボディスーツ９を穿くときには、ショーツ、ストッキング、ガードル、ブラジャーを付け、さらにその上に体形補整用ボディスーツ９を重ねて着て、係止具１８で止める。なお、これらのショーツ、ストッキング、ガードル、ブラジャーを付けずに、直接、体形補整用ボディスーツ９を着るようにしてもよい。
このとき、体形補整用ボディスーツ９の丈は、着用しようとする人の肩部から股下部までの長さより４〜５ｃｍ長いものが用いられる。このために弛みが生じるが、この弛みは、図１及び図２に示すように、下半分は、腰部裏地３１の部分まで引き上げるようにして股下部とヒップ部に密着させ、また、上半分は、腰部裏地３１の部分まで引き下げるようにして肩部とバスト部に密着させる。このようにして腰部裏地３１の部分に生じた弛みは、折り返し部２３にする。
この結果、引き上げによりヒップ部がつぶされることなく丸みをもったまま上方へ絞り上げられる。また、引き下げにより、バスト部がつぶされるのをアンダーメッシュ部２４で吸収する。さらに、折り返し部２３をもって着ることによる最も効果的な点は、座ったときに背部側が伸びても折り返し部２３によって吸収でき、また、腕の上げ下ろしをしても股下部に力がかからず、かつ、バスト部をつぶすようなことがないことである。
【００２９】
このように、ブラジャーで正しいバストの位置を整え、ショーツ、ガードル、ストッキングで正しいヒップの形を整え、ヒップの高さを維持し、さらにその上に体形補整用ボディスーツ９を着用することで、脊髄と骨盤の正しい位置と背筋を矯正し、人間の体重を正しく支えることができる。
折り返し部２３の部分で３重、４重に重ねることで、腹部を温めるため、内臓の働きを活発化させ、また、余分な脂肪を燃焼させることができる。
【００３０】
さらに詳しくは、本発明の体形補整用ボディスーツ９は、全ての表地と裏地のうちゲルマニウム含有の布地の使用個所（腹部裏地１２ｂ、股下部裏地１７ｂ、背面裏地２０ｂ、肩パッド２５、アンダーバスト裏地２７ｂ）以外は、遠赤外線セラミック練り込み糸からなる布地を使用しているので、この遠赤外線セラミック練り込み布地の作用により、体温に近い温度かそれ以上の温度まで皮下深層の温度が上昇し、微細血管の拡張、血液循環、新陳代謝の促進等が行なわれる。
この遠赤外線セラミック練り込み布地の作用により皮膚温度が十分上昇した状態になると、具体的には、皮膚温度が３２℃以上になると、ゲルマニウム含有の布地の腹部裏地１２ｂと股下部裏地１７ｂによって、だん中、中かん、水分、気海の各経穴に当接して刺激し、肩パッド２５によって肩井４１の経穴に当接して刺激し、背面裏地２０ｂによって、風門４０、肺兪４２、心兪４３、膈兪、肝兪、脾兪４４、胃兪、腎兪４５等の各経穴に当接して刺激し、アンダーバスト裏地２７ｂによってアンダーバストを刺激する。
【００３１】
即ち、半導体であるゲルマニウムは、Ｇｅ―Ｇｅ結合が比較的弱いため、ゲルマニウムの接触面の温度が３２℃以上になるにつれて結合が切れ、一番外側の軌道を回る４個のマイナス電子が外へ飛び出し、電子浸透圧が働き、イオン化して皮膚組織の下に浸透する。皮下組織中の毛細血管に到達したゲルマニウムイオンは、血管壁を浸透し、血液中で電子の移動が行なわれる。
人間には、ごく微弱な生体電流が流れている。体の細胞の一つ一つがプラスとマイナスの電気がつり合って調和していればよいが、そのバランスが崩れると、体内に流れている生体電流が乱れてしまう。その結果、痛みの症状としてあらわれるのが、かた、くびの凝り、腰や膝の痛み、めまいなど様々な体の不調となる。
ここで、血液が酸性状態であれば、ゲルマニウムのマイナスイオンが吸着されて血液ｐＨを中性にし、逆にアルカリ状態であれば、電子反転作用でプラスイオンとなり、血液中のｐＨを正常に保つ働きをする。イオン化したゲルマニウム電子は、皮膚組織の下に浸透し、その電子特性により接触面の血行を促進し、細胞を活性化させ細胞内の電流バランスを整える。身体の生体電流を活性化させ、血行をよくすることで、筋肉の凝り、痛み、疲労を緩和させる。
このように、ゲルマニウムは、接触面の温度が３２℃以上になると十分に医学的効果が現われる。
【００３２】
ちなみに、不眠症、肩こりに悩む人に本発明製品を着用させ、使用前と使用後の血液を採取して顕微鏡映像で赤血球を比較した。使用前は、赤血球がどろどろに重なり合い、身体全体に酸素や栄養供給が不足になり、肩凝り、腰痛、神経痛が起こりやすい状態であった。本発明製品を着用してから３０分後に再度血液を採取したところ、血液がさらさらな正常状態に戻ったことが認められた。
【００３３】
本発明による体形補整用ボディスーツは、冷えから身体を守るために、熱エネルギーを作り出す遠赤外線放射セラミックスを練り込んだ繊維を使用して保温性を高めている。身体の表面だけでなく、筋肉、血管、リンパ管を温め、体温を健康的な状態に保ちながら、冷えから身体を守る。また、ゲルマニウム入り繊維を部分的に使用し、電気的作用で血行を促進している。このことは、上述の通りであるが、以下に、検査により実証された作用効果について説明する。
【００３４】
図７は、市販のボディスーツを着用した場合を示し、図８は、本発明の体形補整用ボディスーツを着用した場合を示している。いずれもサーモグラフィにより作用効果を比較したもので、同一人が室内温度２５℃の条件で着用し、公的機関（東京と墨田区所在の東京都立産業技術研究所）に依頼して計測したものである。
これらの図７及び図８において、温度の分布を以下のように、ハッチングで５段階で表している。
青（２５〜２７℃）：左下がりの細かいハッチング。
緑（２７〜２９℃）：右下がりの青よりやや粗いハッチング。
黄緑（２９〜３１℃）：左下がりの緑よりやや粗いハッチング。
黄（３１〜３３℃）：右下がりの黄緑よりやや粗いハッチング。
橙（３３〜３５℃）：水平のハッチング。
【００３５】
図７（ａ）に示すような市販のボディスーツを着用した場合において、図７（ｂ）に示す着用直後のＰ点とＱ点のそれぞれの皮膚温度は、３１．６℃と、３２．６℃であり、図７（ｃ）に示す着用してから１５分後のＰ点とＱ点のそれぞれの皮膚温度は、３１．８℃と、３２．３℃であった。これらの点の温度は、基準点として測定したものである。
サーモグラフィにおける着用直後（図７（ｂ））と着用１５分後（図７（ｃ））の色分布を比較すると、両腕部分では、ほとんど温度上昇が見られない。ウエスト上部では着用直後の青色が緑色へ変化しており、背中部分では着用直後の緑色部分のうち黄色へ変化している箇所がわずかに広がっているのがみられる。よってこれらの部分の体温は若干上昇したといえるが、いずれも稀少な差異であり、特筆すべき変化であるとはいえない。
【００３６】
これに対し、図８は、本発明の体形補整用ボディスーツを着用した場合を示している。この図８において、室内温度２５℃のとき、本発明のボディスーツを着用した直後のＰ点とＱ点のそれぞれの皮膚温度は、３０．６℃と、３３．１℃であり、着用してから１５分後のＰ点とＱ点のそれぞれの皮膚温度は、３１．０℃と、３３．２℃であった。これらの点の温度は、基準点として測定したものである。
サーモグラフィによる着用直後（図８（ｂ））と着用１５分後（図８（ｃ））の色分布を比較すると、両腕部分では、青色部分がすべて黄色と黄緑に温度上昇した。背中では着用直後の緑色部分がほぼ全て黄色へ変化し、そのうち右肩に近い部分では緑色から橙色へ変化している。また、首部分では着用直後の黄色部分の多くが橙色へ変化している。このことから、本発明の体形補正用ボディスーツを着用した場合は、背中、首、腕などの身体全体で体温が上昇し、特に身体の一部分では体温上昇が著しいことがわかる。
なお、肩部分が青色のままで体温変化が少ないのは肩パットが入っているからであり、背骨付近の体温変化が少ないのはこの部分が窪んでいてサーモグラフィに反応しにくいからであると考えられる。
しかるに、本発明の体形補正用ボディスーツでは、遠赤外線セラミック練り込み布地の他に、背面裏地２０ｂにゲルマニウム含有布を使用していることにより、皮下組織中の毛細血管に到達したゲルマニウムイオンは、血管壁を浸透し、血液中で電子の移動が行なわれ、血液が酸性状態であっても、逆にアルカリ状態であって、血液中のｐＨを正常に保つ働きをし、電子特性により接触面の血行を促進し、細胞を活性化させ細胞内の電流バランスを整える。
このように、ゲルマニウムは、接触面の温度が３２℃以上になって、十分に医学的効果が現われることが分かる。
【００３７】
次に、図９及び図１０は、矯正を専門とする医師秋山融氏（カラダファクトリー取締役・エルセーヌ顧問・ＮＰＯ法人予防医学療術会理事・桐が丘整骨院院長・スポーツパシフィック総医院長）によるモアレ画像（身体の等高線画像）を用いた診断結果である。
図９は、３５歳の女性の背中であり、そのうち、（ａ）は、本発明の体形補正用ボディスーツを着用する前を示し、図９（ｂ）は、本発明の体形補正用ボディスーツを５日間着用した後を示している。
脊柱は、一般に、横から見るとＳ字状にカーブしていてそれで重力をうまく受け止めている。また、脊柱は、縦から見ると真直ぐであるべきであるが、側湾症というのは、縦から見てもＳ字状にカーブしている。着用前の図９（ａ）は、肩甲骨の高さの中心となる部分の右と左を結ぶと、右の方が落ちており側湾症気味である。
ところが、４日間着用後の図９（ｂ）は、左右略同じ高さになっている。これは、上記女性の身体の状態が、医師や整体師等による治療の成果と同様になることを表している。
医師等の治療による矯正では、短時間での治療後に正しく治っていても、数日を経過すると、元通りになっているが、これは、身体は、習慣付けられるとそれになじんでしまい、悪い姿勢でも元の位置関係が正しいと思ってしまうからである。しかし、本発明の体形補正用ボディスーツを着用した場合は、４日間着用後には図９（ｂ）に示すように正しい位置関係となる。これは本発明の体形補正用ボディスーツを着用し続けることで身体が正しい位置関係を覚えるからであると考えられる。
また、本発明体形補正用ボディスーツの着用前後でモアレ画像の線を比較すると、肩甲骨の下方の線は、図９（ａ）は、ぼやけているが、着用後の図９（ｂ）は、はっきりと見えている。これは、ウエストラインが絞られていることを表している。このように、着用後のモアレ画像である図９（ｂ）では、肩甲骨が左右同じ高さとなり、ウエストラインがはっきり見えてきて左右対称に近づいてきており、脊柱のバランスがよくなっていることを表している。このことは、本発明の体形補正用ボディスーツを継続的に着用することで、体循環がよくなって自然治癒力が高まり免疫力が高まっていることを表している。
【００３８】
図１０に示すモアレ画像は、背中をかがめることが多い職業的に従事する６３歳の女性のものである。着用前の図１０（ａ）と、着用５日後の図１０（ｂ）を比較すると、等高線の間隔が狭まっていることがわかる。また、図１０（ｂ）は図１０（ａ）よりも肩甲骨の間隔が狭くなっていることもわかる。これは、着用前に猫背であった背中が真直ぐに改善されつつあり、肩甲骨がくっついてきていることを表す。つまり、脊柱のバランスが改善され、ウエストラインの状態も改善されていることを表している。図１０のモアレ画像の例のような初老の女性は若者に比べて筋肉や骨の柔軟性が低いのでこのような矯正の効果は出にくいのであるが、本発明による体形補正用ボディスーツを着用することにより効果が出ているといえる。
この場合も、前記図９の場合と同様、本発明の体形補正用ボディスーツを継続的に着用することにより脊柱のバランスが整い、体循環がよくなって自然治癒力及び免疫力が高まるといえる。
【００３９】
次に、本発明の体形補正用ボディスーツを３週間着用した被験者２名の着用前と着用後における血液検査の結果を比較し説明する。
なお、着用前後の血液検査はいずれもライフサイエンスクリニックで検診し、三菱化学ビーシーエルにて分析を行った。
被験者Ａは、女性、年齢５５歳、身長１５０．２ｃｍ、体重６６．０ｋｇ、高血圧治療中である。
被験者Ａの着用前後の血液検査で変化が見られたものは以下のとおりである。
・白血球：１０４００→９６００（基準値：３３００〜９０００）
・アルカリフォスファターゼ：４６０→４３５（基準値：１００〜３２５）
・グルコース：２５５→１９７（基準値：７０〜１０９）
・総コレステロール：２９９→２８９（基準値：１２０〜２１９）
・中性脂肪：２６７→２３３（基準値：３０〜１４９）
このうち、免疫や生体防御の働きを有する白血球数が基準値近くまでに改善されていることが特に注目される。本発明体形補正用ボディスーツを継続的に着用することにより、自然治癒力や免疫力が高まったことを表しているといえる。
また、その他の数値も基準値以上ではあるものの減少していることから健康状態が改善されていると考えられる。
【００４０】
被験者Ｂは、女性、年齢４９歳、身長１６０．７ｃｍ、体重７２．５ｋｇ、狭心症観察中である。
被験者Ｂの着用前後で変化が見られた項目は以下のとおりである。
・白血球：１０９００→７１００（基準値：３３００〜９０００）
・アルカリフォスファターゼ：２３６→２１８（基準値：１００〜３２５）
・総コレステロール：２７７→２５４（基準値：１２０〜２１９）
・中性脂肪：１４３→１９６（基準値：３０〜１４９）
・ＬＤＬコレステロール：１９７→１６９（基準値：６５〜１３９）
被験者Ｂの場合も、白血球の数値が大きく減少し基準値内に改善されており、本発明体形補正用ボディスーツを継続的に着用したことにより自然治癒力や免疫力が高まったことを表しているといえる。
また、その他の値では、いわゆる「悪玉コレステロール」であるＬＤＬコレステロール値が減少していることから動脈硬化のリスクがやや減少したことがわかる。
【００４１】
上記血液検査の結果から、被験者Ａ及び被験者Ｂの血液状態が改善された理由は、本発明の体形補正用ボディスーツが、前述のとおり、遠赤外線セラミック練り込み布地及び背面裏地２０ｂにゲルマニウム含有布を使用していることにより、繊維に織り込まれているゲルマニウムが皮膚との接触によりマイナス電子を放出し、人間の生体電流に作用し、細胞内の電流バランスを整え血液やリンパの流れを改善したためであると考えられる。
【図面の簡単な説明】
【００４２】
【図１】本発明による体形補整用ボディスーツの一実施例を示すもので、（ａ）は、前身頃部から見た斜視図、（ｂ）は、肩パッドの斜視図、（ｃ）は、上下から引き寄せて折り込んだ折り返し部２３を有する状態の側面図である。
【図２】図１における後身頃部から見た斜視図である。
【図３】図１における前身頃部で、（ａ）は、表地の分解平面図、（ｂ）は、裏地の分解平面図である。
【図４】図１における後身頃部で、（ａ）は、表地の分解平面図、（ｂ）は、裏地の分解平面図である。
【図５】日本の女性の理想的プロポーションの説明図である。
【図６】人間の背中から見た経穴の説明図である。
【図７】（ａ）は、市販のボディスーツを着用した状態の背面図、（ｂ）は、市販のボディスーツを着用した直後の温度分布図、（ｃ）は、市販のボディスーツを着用してから１５分後の温度分布図である。
【図８】図７と同一人で、（ａ）は、図７と同一人が本発明の体形補整用ボディスーツを着用した状態の背面図、（ｂ）は、本発明の体形補整用ボディスーツを着用した直後の温度分布図、（ｃ）は、本発明の体形補整用ボディスーツを着用してから１５分後の温度分布図である。
【図９】３５歳の女性で、（ａ）は、本発明の体形補整用ボディスーツを着用する前の背中のモアレ画像図、（ｂ）は、本発明の体形補整用ボディスーツを着用してから５日後の背中のモアレ画像図である。
【図１０】６３歳の女性で、（ａ）は、本発明の体形補整用ボディスーツを着用する前の背中のモアレ画像図、（ｂ）は、本発明の体形補整用ボディスーツを着用してから５日後の背中のモアレ画像図である。
【符号の説明】
【００４３】
９…体形補整用ボディスーツ、１０…前身頃部、１１…後身頃部、１２ａ…腹部表地、１２ｂ…腹部裏地、１３ａ…前脇腹表地、１３ｂ…前脇腹裏地、１４…脇下ネット部、１７ａ…股下部表地、１７ｂ…股下部裏地、１８…係止具、１９ａ…肩部表地、１９ｂ…肩部裏地、２０ａ…背面表地、２０ｂ…背面裏地、２２…背面ネット部、２４…アンダーメッシュ部、２５…肩パッド、２７ａ…アンダーバスト表地、２７ｂ…アンダーバスト裏地、２８…アンダーバスト部、２９…アッパーバスト刺繍部、３０…後脇腹裏地、３１…腰部裏地、３２…臀部切り欠き部、３４ａ…クロスメッシュ表地、３４ｂ…クロスメッシュ裏地、３５…背部切り欠き部、３７…一重部。
【図１】
2007119994.tif 000003
【図２】
2007119994.tif 000004
【図３】
2007119994.tif 000005
【図４】
2007119994.tif 000006
【図５】
2007119994.tif 000007
【図６】
2007119994.tif 000008
【図７】
2007119994.tif 000009
【図８】
2007119994.tif 000010
【図９】
2007119994.tif 000011
【図１０】
2007119994.tif 000012